(57)【要約】【課題】  自装置に設けられたカバーの開閉状態を判別するためのセンサへの配線を減少させることができ、また、カバーの開閉状態を判別することにより、カバーの閉鎖を前提として動作する各部の誤動作を未然に防止することができる画像処理装置を提供することを目的とする。【解決手段】  フラットベッドスキャナ１３と、該フラットベッドスキャナ１３を覆う開閉自在のカバー１５と、を備えた画像処理装置１において、該装置１の本体側に所定の電波を発信すると共に前記カバー１５に設けた前記所定の電波を受信する信号発信器１９が発生した固有の無線信号を読取る信号読取器１１と、該信号読取器１１の出力結果に基づき、前記カバー１５の開閉状態を判別する判別手段２と、を備える。【選択図】      図２
2005286526.tif 000002
【特許請求の範囲】
【請求項１】
フラットベッドスキャナと、該フラットベッドスキャナを覆う開閉自在のカバーと、を備えた画像処理装置において、該装置の本体側に所定の電波を発信すると共に前記カバーに設けた前記所定の電波を受信する信号発信器が発生した固有の無線信号を読取る信号読取器と、該信号読取器の出力結果に基づき、前記カバーの開閉状態を判別する判別手段と、を備えることを特徴とする画像処理装置。
【請求項２】
前記フラットベッドスキャナが前記カバーの一部を構成する自動原稿搬送部を備えており、且つ、前記判別手段が前記カバーが開いていると判別した場合、前記自動原稿搬送部の動作を禁止する禁止手段を備えることを特徴とする請求項１記載の画像処理装置。
【請求項３】
記録媒体に画像を形成する画像形成部と、該画像形成部に設けられた開閉自在のカバーと、を備えた画像処理装置において、該装置の本体側に所定の電波を発信すると共に前記カバーに設けた前記所定の電波を受信する信号発信器が発生した固有の無線信号を読取る信号読取器と、該信号読取器の出力結果に基づき、前記カバーの開閉状態を判別する判別手段と、該判別手段が前記カバーが開いていると判別した場合、前記画像形成部の動作を禁止する禁止手段と、を備えることを特徴とする画像処理装置。
【発明の詳細な説明】
【技術分野】
【０００１】
本発明は、複写機や、プリンタ機能、ファクシミリ機能、スキャナ機能等を有する複合機等の画像処理装置に関し、特に、自装置の各部を構成するカバーの開閉状態を判別する手段を備えた画像処理装置に関する。
【背景技術】
【０００２】
フラットベッドスキャナ（ＦＢＳ）を覆う自動原稿搬送部（ＡＤＦ）を備えた開閉自在のカバーや、画像形成部に設けられた開閉自在のカバー等を備えた画像処理装置においては、カバーの開閉状態を接触型センサ等を用いて判別し、カバーが開いている場合に、表示部に「カバーが開いています。閉じて下さい。」などのエラーメッセージを表示するなどして、ユーザにその旨を報知する。
【０００３】
ところで、特許文献１には、トナーカートリッジに所定の信号を送信するＲＦ（Radio Frequency）タグを、カートリッジホルダーにＲＦタグが送信する所定の信号を受信するＲＦリードライタを設け、ＲＦリードライタの出力結果に基づいて、トナーカートリッジの有無、着脱状態を検出する画像形成装置が開示されている。上述のＲＦタグ及びＲＦリードライタは、非接触で情報をやり取りすることができるものであり、図書管理、商品管理など様々な用途で利用されている。ＲＦタグ及びＲＦリードライタは、近年、価格が低下したことや、１つのＲＦリードライタで複数のＲＦタグとの通信が行えるようになったことなどにより、利用分野が拡大してきている。
【特許文献１】特開２００２−３１８５１０号公報
【発明の開示】
【発明が解決しようとする課題】
【０００４】
しかしながら、従来のＡＤＦを備えたカバーや画像形成部に設けられたカバー等を備えた画像処理装置においては、これらのカバーの開閉状態を判別するために配線を必要とする接触型センサを用いており、配線経路や配線スペースを確保する必要性から、装置の設計、構造等が複雑になるという問題があった。
【０００５】
本発明は、以上のような問題点に鑑みてなされたものであり、自装置に設けられたカバーの開閉状態を判別するためのセンサへの配線を減少させることができ、また、カバーの開閉状態を判別することにより、カバーの閉鎖を前提として動作する各部の誤動作を未然に防止することができる画像処理装置を提供することを目的とする。
【課題を解決するための手段】
【０００６】
上記目的を達成するための請求項１記載の画像処理装置は、フラットベッドスキャナと、該フラットベッドスキャナを覆う開閉自在のカバーと、を備えた画像処理装置において、該装置の本体側に所定の電波を発信すると共に前記カバーに設けた前記所定の電波を受信する信号発信器が発生した固有の無線信号を読取る信号読取器と、該信号読取器の出力結果に基づき、前記カバーの開閉状態を判別する判別手段と、を備えることにある。
【０００７】
請求項２記載の画像処理装置は、請求項１記載の画像処理装置において、前記フラットベッドスキャナが前記カバーの一部を構成する自動原稿搬送部を備えており、且つ、前記判別手段が前記カバーが開いていると判別した場合、前記自動原稿搬送部の動作を禁止する禁止手段を備えることにある。
【０００８】
請求項３記載の画像処理装置は、記録媒体に画像を形成する画像形成部と、該画像形成部に設けられた開閉自在のカバーと、を備えた画像処理装置において、該装置の本体側に所定の電波を受信すると共に前記カバーに設けた前記所定の電波を受信する信号発信器が発生した固有の無線信号を読取る信号読取器と、該信号読取器の出力結果に基づき、前記カバーの開閉状態を判別する判別手段と、該判別手段が前記カバーが開いていると判別した場合、前記画像形成部の動作を禁止する禁止手段と、を備えることにある。
【発明の効果】
【０００９】
請求項１の発明によれば、信号発信器は電力供給等のための配線を必要としないため、簡単な構成でフラットベッドスキャナを覆うカバーの開閉状態を判別することができる。
【００１０】
請求項２の発明によれば、フラットベッドスキャナを覆うカバーが開いている場合には、自動原稿搬送部が動作しないので、原稿の画像の読取りミス、原稿のジャム、及びジャムによる原稿の破損を防止することができる。
【００１１】
請求項３の発明によれば、信号発信器は電力供給等のための配線を必要としないため、簡単な構成で画像形成部に設けられたカバーの開閉状態を判別することができ、カバーが開いている場合には、画像形成処理動作が行われないので、記録紙などの記録媒体が画像形成部から飛び出すことやミスプリントを防止することができる。
【発明を実施するための最良の形態】
【００１２】
以下、本発明の実施形態に係る画像処理装置１を図面に基づいて説明する。なお、本実施形態においては、本発明に係る画像処理装置１を複写機に適用した場合を例に挙げて説明するが、本発明はこれに限らず、ファクシミリ装置などの他の装置に適用できることはいうまでもない。
【００１３】
画像処理装置１は、図１に示すように、制御部（ＭＰＵ：Microprocessing Unit）２、原稿読取部３、コーデック４、画像メモリ５、画像形成部６、操作部７、表示部８、ＲＯＭ（Read Only Memory）９、ＲＡＭ（Random Access Memory）１０、及びＲＦ（Radio Frequency）リードライタ１１を備えたものであって、各部２乃至１１はバス１２によって通信可能に接続されている。
【００１４】
制御部２は、この画像処理装置１を構成する各部を制御する制御手段である。原稿読取部３は、原稿の画像を読取るものであり、図２に示すようなフラットベッドスキャナ１３（ＦＢＳ：Flat Bed Scanner）と、図３に示すような自動原稿搬送部１４（ＡＤＦ：Automatic Document Feeder）と、を備えている。
【００１５】
フラットベッドスキャナ１３は、開閉自在のカバー１５の一部を構成する自動原稿搬送部１４に覆われており、プラテン１６上に載置された原稿の画像を、図示しない画像読取センサによって読取るものである。自動原稿搬送部１４は、原稿トレイ１７に載置された原稿を１枚ずつ搬送し、図示しない画像読取センサによって画像が読取られた原稿を排紙トレイ１８に排出するものである。原稿トレイ１７には、図示しないが、原稿の有無を検知する原稿センサが設けられている。また、カバー１５の下面には、所定の電波を受信して固有の無線信号を発生する信号発信器であるＲＦタグ１９が設けられている。
【００１６】
コーデック４は、原稿読取部３から出力された画像データをＪＰＥＧ（Joint Photographic Experts Group）方式又はＭＨ（Modified Huffman）、ＭＲ（Modified Read）、ＭＭＲ（Modified Modified Read）方式等により順次圧縮符号化する。画像メモリ５は、原稿読取部３から出力された画像データやコーデック４において符号化された画像データ等を格納する。
【００１７】
画像形成部６は、記録紙などの記録媒体に画像メモリ５から読み出された画像データの画像を形成するものであり、図２及び図３に示すように、該画像形成部６を覆う開閉自在の正面カバー２０が設けられた筐体２１の内部に収容されている。また、正面カバー２０には、信号発信器であるＲＦタグ２２が設けられている。
【００１８】
操作部７は、複写開始、原稿の画像の読取り開始、及び画像形成処理開始を指示するためのスタートキー、コピー部数等を入力するためのテンキー、各種操作を行うためのカーソルキーなど、表示部８と連動した各種操作キーを備えている。表示部８は、各種の設定状態や画像処理装置１の動作状態などを表示する。
【００１９】
ＲＯＭ９は、制御部２によりこの画像処理装置１の各部の動作が制御されるための各種プログラムを格納している。ＲＡＭ１０は、画像処理装置１の処理動作に用いる設定情報や動作情報等の各種データを読出し及び書込み可能な状態で格納するメモリである。
【００２０】
信号読取器であるＲＦリードライタ１１は、所定の電波を発信すると共に、ＲＦタグ１９、２２が通信可能範囲（例えば、ＲＦリードライタ１１から半径５〜１０ｃｍ）内にある場合に、ＲＦタグ１９、２２が発生した固有の無線信号を読取り、制御部２に出力する。このＲＦリードライタ１１は、図２及び図３に示すように、自装置１の本体側の操作部７付近に設けられている。また、ＲＦリードライタ１１とＲＦタグ１９、２２は、カバー１５及び正面カバー２０が完全に閉じた状態でＲＦタグ１９、２２がＲＦリードライタ１１の通信可能範囲に入り、カバー１５及び正面カバー２０が少しでもあるいは所定距離開いた状態でＲＦタグ１９、２２がＲＦリードライタ１１の通信可能範囲外に位置するように設けられている。
【００２１】
ＲＦタグ１９、２２は、予め識別情報を記憶しており、ＲＦリードライタ１１が発信する所定の電波を受信して、記憶している識別情報を固有の無線信号として発生する。制御部２は、ＲＦリードライタ１１が読取った固有の無線信号に基づいて、カバー１５及び正面カバー２０の開閉状態を判別する判別手段として機能する。すなわち、ＲＦタグが通信可能範囲内にある場合、ＲＦリードライタ１１は、当該ＲＦタグが発生する固有の無線信号を読取り、制御部２に出力し、制御部２は、ＲＦリードライタ１１が出力した固有の無線信号に基づいて、当該識別情報に対応する方のカバーが閉鎖状態にあることを判別する。
【００２２】
上記のように構成された画像処理装置１において、ユーザによって、原稿の読取り開始が指示された場合の画像処理装置１の処理動作について、図４に示すフローチャートに基づいて説明する。画像処理装置１の処理動作は、ＲＯＭ９に格納されている制御プログラムに基づいて制御部２が発行する命令に従って行われる。
【００２３】
操作部７の所定の操作などにより、原稿の読取り開始の指示があれば（Ｓ１：ＹＥＳ）、制御部２は、原稿センサの検知結果に基づいて、原稿トレイ１７に原稿があるか否かを判断する（Ｓ２）。原稿トレイ１７に原稿がなければ（Ｓ２：ＮＯ）、制御部２は、原稿読取部３を制御し、フラットベッドスキャナ１３を用いて、プラテン１６上に載置されている原稿の画像を読取る（Ｓ３）。原稿の画像の読取りが終了すると、次の原稿があるか否かの指示をユーザに要求する情報を表示部８に表示することによって報知する（Ｓ４）。次の原稿があることを指示された場合は（Ｓ５：ＹＥＳ）、フラットベッドスキャナ１３で次の原稿を読取り（Ｓ３）、次の原稿がないことが指示された場合は（Ｓ５：ＮＯ）、処理を終了する。
【００２４】
原稿トレイ１７に原稿があれば（Ｓ２：ＹＥＳ）、制御部２は、ＲＦリードライタ１１の出力結果に基づいて、カバー１５が閉じているか否かを判別する（Ｓ６）。カバー１５が閉じている場合（Ｓ６：ＹＥＳ）、制御部２は、原稿読取部３を制御し、自動原稿搬送部１４を用いて、原稿トレイ１７に載置された全ての原稿の読取りが終了するまで、原稿の画像を読取る（Ｓ７、Ｓ８）。なお、原稿トレイ１７上の原稿がなくなれば、原稿センサが無検知状態となり、原稿の読取りが終了したと判断する。
【００２５】
カバー１５が開いている場合（Ｓ６：ＮＯ）、自動原稿搬送部１４の動作を含めた原稿の読取り動作を禁止する（Ｓ９）。つまり、スタートキーの押下などの原稿読取開始操作がなされても、自動原稿搬送部１４の動作を開始せずに、カバー１５が閉じていると判別するまで、ユーザにカバー１５を閉じることを要求する情報を表示部８に表示することによって報知する（Ｓ１０、Ｓ６）。カバー１５が閉じていると判別すると（Ｓ６：ＹＥＳ）、自動原稿搬送部１４を用いて、原稿トレイ１７に載置された全ての原稿の読取りが終了するまで、原稿の画像を読取る（Ｓ７、Ｓ８）。
【００２６】
以上説明したように、画像処理装置１によれば、ＲＦタグ１９は、電力供給等のための配線を必要としないため、簡単な構成でフラットベッドスキャナ１３を覆うカバー１５の開閉状態を判別することができる。また、カバー１５が開いている場合には、自動原稿搬送部１４による原稿の搬送動作が行われないので、原稿の画像の読取りミス、原稿のジャムの発生及びジャムによる原稿の破損を防止することができる。
【００２７】
なお、カバー１５が完全に閉鎖される一歩手前のところでＲＦリードライタ１１とＲＦタグ１９が通信可能範囲となるよう、ＲＦリードライタ１１とＲＦタグ１９の位置関係を定めて、開いたカバー１５を閉じる際にＲＦタグ１９がＲＦリードライタ１１の通信可能範囲内に入った時点、すなわち、カバー１５が完全に閉鎖される一歩手前のところで、プラテン１６上に載置された原稿のサイズを検知する動作を行うようにしてもよい。
【００２８】
次に、画像処理装置１において、ユーザによって、画像形成処理の開始が指示された場合の画像処理装置１の処理動作について、図５に示すフローチャートに基づいて説明する。
【００２９】
操作部７の所定の操作などによる、画像形成処理開始の指示があった場合（Ｓ２１：ＹＥＳ）、制御部２は、ＲＦリードライタ１１の出力結果に基づいて、正面カバー２０が閉じているか否かを判別する（Ｓ２２）。正面カバー２０が閉じている場合（Ｓ２２：ＹＥＳ）、制御部２は、画像形成部６を制御して、全ての画像を記録紙上に形成するまで、画像形成処理を行う（Ｓ２３、Ｓ２４）。
【００３０】
正面カバー２０が開いている場合（Ｓ２２：ＮＯ）、画像形成部６の動作を禁止する（Ｓ２５）。そして、正面カバー２０が閉じていると判別するまで、ユーザに正面カバー２０を閉じることを要求する情報を表示部８に表示することによって報知する（Ｓ２６、Ｓ２２）。制御部２は、正面カバー２０が閉じていると判別すると（Ｓ２２：ＹＥＳ）、画像形成部６を制御して、全ての画像が記録紙上に形成されるまで、画像形成処理を行う（Ｓ２３、Ｓ２４）。
【００３１】
以上説明したように、画像処理装置１によれば、ＲＦタグ２２は、電力供給等のための配線等を必要としないため、簡単な構成で画像形成部６に設けられた正面カバー２０の開閉状態を判別することができる。また、正面カバー２０が開いている場合は、画像形成処理動作が行われないので、画像形成部から記録紙などの記録媒体が飛び出すことやミスプリントを防止することができる。
【００３２】
本実施形態においては、１つのＲＦリードライタで２つのＲＦタグが発生する固有の無線信号を読取る構成としたが、複数のＲＦタグそれぞれに対してＲＦリードライタを設けて、各ＲＦタグが発生する固有の無線信号をそれぞれ別個のＲＦリードライタが読取る構成としてもよい。
【産業上の利用可能性】
【００３３】
本発明は、例えば、フラットベッドスキャナを覆うＡＤＦを備えた開閉自在のカバーや画像形成部に開閉自在のカバーを備えた画像処理装置に適用することができる。
【図面の簡単な説明】
【００３４】
【図１】本発明の実施形態に係る画像処理装置の構成例を示す図。
【図２】本発明の実施形態に係る画像処理装置のカバー及び正面カバーが開いている状態を示す斜視図。
【図３】本発明の実施形態に係る画像処理装置のカバー及び正面カバーが閉じている状態を示す斜視図。
【図４】本発明の実施形態に係る画像処理装置が実行する処理動作を示したフローチャート。
【図５】本発明の実施形態に係る画像処理装置が実行する処理動作を示したフローチャート。
【符号の説明】
【００３５】
１    画像処理装置
２    制御部
３    原稿読取部
６    画像形成部
９    ＲＯＭ
１０  ＲＡＭ
１１  ＲＦリードライタ（信号読取器）
１３  フラットベッドスキャナ
１４  自動原稿搬送部
１５  カバー
１９、２２  ＲＦタグ（信号発信器）
２０  正面カバー
【図１】
2005286526.tif 000003
【図２】
2005286526.tif 000004
【図３】
2005286526.tif 000005
【図４】
2005286526.tif 000006
【図５】
2005286526.tif 000007